(57)【要約】【課題】  画像が出力された後でログ画像の生成の終了前に電源断が発生した場合であっても、電源の回復後にログ画像を生成することができる画像出力装置を提供する。【解決手段】  画像を出力するプリンターと、電源断の場合であっても情報を保持する記憶部２７とを備えているＭＦＰは、プリンターの出力画像の元画像を記憶部２７上に生成する元画像生成手段と、出力画像のログ画像を記憶部２７に記憶されている元画像に基づいて生成するログ画像生成手段と、ＭＦＰの起動の処理を実行する起動処理実行手段とを備えており、起動処理実行手段を実現する起動処理実行スレッド２８ｆと、ＭＦＰの起動時のログ画像生成手段を実現する起動時ログ画像生成スレッド２８ｇとは、別々のスレッドであり、起動処理実行スレッド２８ｆは、記憶部２７に元画像が記憶されている場合に（Ｓ１６１）、起動時ログ画像生成スレッド２８ｇを生成する（Ｓ１６３）ことを特徴とする。【選択図】  図６
2014109907.tif 000002
【特許請求の範囲】
【請求項１】
画像を出力する画像出力部と、電源断の場合であっても情報を保持する不揮発性記憶部とを備えている画像出力装置であって、
前記画像出力部によって出力される画像である出力画像の元になる画像である元画像を前記不揮発性記憶部上に生成する元画像生成手段と、前記出力画像のログとしてのログ画像を前記不揮発性記憶部に記憶されている前記元画像に基づいて生成するログ画像生成手段と、前記画像出力装置の起動の処理を実行する起動処理実行手段とを備えており、
前記起動処理実行手段を実現するスレッドである起動処理実行スレッドと、前記画像出力装置の起動時の前記ログ画像生成手段を実現するスレッドである起動時ログ画像生成スレッドとは、別々のスレッドであり、
前記起動処理実行スレッドは、前記不揮発性記憶部に前記元画像が記憶されている場合に、前記起動時ログ画像生成スレッドを生成することを特徴とする画像出力装置。
【請求項２】
操作が入力される入力デバイスと、前記操作の状況を表示する表示デバイスとを備えており、
前記起動処理実行スレッドは、前記表示デバイスの起動が開始される前に、前記起動時ログ画像生成スレッドを生成することを特徴とする請求項１に記載の画像出力装置。
【請求項３】
前記起動処理実行スレッドは、前記不揮発性記憶部に前記元画像が記憶されている場合に、この元画像のドキュメントＩＤを取得し、このドキュメントＩＤを前記起動時ログ画像生成スレッドに渡すことを特徴とする請求項１または請求項２に記載の画像出力装置。
【請求項４】
請求項１から請求項３までの何れかに記載の画像出力装置と、前記ログ画像を記憶するログ画像記憶装置を備えているログ画像記憶サーバーとを備えており、
前記画像出力装置は、前記ログ画像生成手段によって生成された前記ログ画像を前記ログ画像記憶サーバーに送信するログ画像送信手段を備えており、
前記ログ画像記憶サーバーは、前記画像出力装置から送信されてきた前記ログ画像を前記ログ画像記憶装置に書き込むログ画像書込手段を備えていることを特徴とする画像出力システム。
【請求項５】
画像を出力する画像出力部と、電源断の場合であっても情報を保持する不揮発性記憶部とを備えている画像出力装置によって実行される画像出力プログラムであって、
前記画像出力部によって出力される画像である出力画像の元になる画像である元画像を前記不揮発性記憶部上に生成する元画像生成手段、前記出力画像のログとしてのログ画像を前記不揮発性記憶部に記憶されている前記元画像に基づいて生成するログ画像生成手段、および、前記画像出力装置の起動の処理を実行する起動処理実行手段として、前記画像出力装置を機能させ、
前記起動処理実行手段を実現するスレッドである起動処理実行スレッドと、前記画像出力装置の起動時の前記ログ画像生成手段を実現するスレッドである起動時ログ画像生成スレッドとは、別々のスレッドであり、
前記起動処理実行スレッドは、前記不揮発性記憶部に前記元画像が記憶されている場合に、前記起動時ログ画像生成スレッドを生成することを特徴とする画像出力プログラム。
【発明の詳細な説明】
【技術分野】
【０００１】
本発明は、出力した画像のログとしてのログ画像を生成する画像出力装置、画像出力システムおよび画像出力プログラムに関する。
【背景技術】
【０００２】
従来の画像出力装置として、画像を印字出力する印字部と、情報を保持することができるハードディスクと、印字部によって印字出力される画像の元になる画像を生成する画像読み取り部と、印字部によって印字出力された画像のログとしてのログファイルをハードディスク上に作成するログ作成手段とを備えているものが知られている（特許文献１参照。）。
【先行技術文献】
【特許文献】
【０００３】
【特許文献１】特開２００６−３０３５６３号公報
【発明の概要】
【発明が解決しようとする課題】
【０００４】
しかしながら、従来の画像出力装置においては、印字部によって画像が印字出力された後でログファイルの作成の終了前に電源断が発生した場合に、ログ作成手段によってログファイルが作成されない可能性がある。ログ作成手段によってログファイルが作成されないことは、ログファイルのログとしての性質上、問題である。
【０００５】
そこで、本発明は、画像が出力された後でログ画像の生成の終了前に電源断が発生した場合であっても、電源の回復後にログ画像を生成することができる画像出力装置を提供することを目的とする。
【課題を解決するための手段】
【０００６】
本発明の画像出力装置は、画像を出力する画像出力部と、電源断の場合であっても情報を保持する不揮発性記憶部とを備えている画像出力装置であって、前記画像出力部によって出力される画像である出力画像の元になる画像である元画像を前記不揮発性記憶部上に生成する元画像生成手段と、前記出力画像のログとしてのログ画像を前記不揮発性記憶部に記憶されている前記元画像に基づいて生成するログ画像生成手段と、前記画像出力装置の起動の処理を実行する起動処理実行手段とを備えており、前記起動処理実行手段を実現するスレッドである起動処理実行スレッドと、前記画像出力装置の起動時の前記ログ画像生成手段を実現するスレッドである起動時ログ画像生成スレッドとは、別々のスレッドであり、前記起動処理実行スレッドは、前記不揮発性記憶部に前記元画像が記憶されている場合に、前記起動時ログ画像生成スレッドを生成することを特徴とする。
【０００７】
この構成により、本発明の画像出力装置は、起動された場合に、不揮発性記憶部に出力画像の元画像が記憶されているとき、不揮発性記憶部に記憶されている元画像に基づいてログ画像を生成するので、画像が出力された後でログ画像の生成の終了前に電源断が発生した場合であっても、電源の回復後にログ画像を生成することができる。また、本発明の画像出力装置は、起動された場合に、不揮発性記憶部に出力画像の元画像が記憶されているとき、起動の処理を実行するスレッドとは別の新たなスレッドによって、不揮発性記憶部に記憶されている元画像に基づいてログ画像を生成するので、ログ画像の生成によって起動時の処理が遅くなることを抑えることができる。
【０００８】
また、本発明の画像出力装置は、操作が入力される入力デバイスと、前記操作の状況を表示する表示デバイスとを備えており、前記起動処理実行スレッドは、前記表示デバイスの起動が開始される前に、前記起動時ログ画像生成スレッドを生成しても良い。
【０００９】
この構成により、本発明の画像出力装置は、画像出力装置の起動時のログ画像の生成によって表示デバイスの起動が遅くなることを抑えることができるので、画像出力装置の起動時のログ画像の生成によって表示デバイスの起動が遅くなる構成と比較して、入力デバイスによる操作の状況を表示デバイスに早期に表示することができる。したがって、本発明の画像出力装置は、画像出力装置の起動時のログ画像の生成によって表示デバイスの起動が遅くなる構成と比較して、利用者による入力デバイスを介した操作に応じた処理を早期に実行することができる。
【００１０】
また、本発明の画像出力装置において、前記起動処理実行スレッドは、前記不揮発性記憶部に前記元画像が記憶されている場合に、この元画像のドキュメントＩＤを取得し、このドキュメントＩＤを前記起動時ログ画像生成スレッドに渡しても良い。
【００１１】
この構成により、本発明の画像出力装置は、不揮発性記憶部に記憶されている元画像を起動時ログ画像生成スレッドが改めて検索する必要がないので、不揮発性記憶部に記憶されている元画像を起動時ログ画像生成スレッドが改めて検索する構成と比較して、早期にログ画像を生成することができる。
【００１２】
本発明の画像出力システムは、上述の画像出力装置と、前記ログ画像を記憶するログ画像記憶装置を備えているログ画像記憶サーバーとを備えており、前記画像出力装置は、前記ログ画像生成手段によって生成された前記ログ画像を前記ログ画像記憶サーバーに送信するログ画像送信手段を備えており、前記ログ画像記憶サーバーは、前記画像出力装置から送信されてきた前記ログ画像を前記ログ画像記憶装置に書き込むログ画像書込手段を備えていることを特徴とする。
【００１３】
この構成により、本発明の画像出力システムは、画像出力装置の電源の回復後に生成されたログ画像をログ画像記憶サーバーが画像出力装置から受信して記憶するので、画像出力装置の利用者の出力画像のログ画像を、ログ画像記憶サーバーを使用する管理者によって従来より正確に把握させることができる。また、本発明の画像出力システムは、画像出力装置がログ画像の生成によって起動時の処理が遅くなることを抑えることができるので、起動時の処理が遅くなる構成と比較して、ログ画像を画像出力装置からログ画像記憶サーバーに早期に送信することができ、結果として、画像出力装置の利用者の出力画像のログ画像を、ログ画像記憶サーバーを使用する管理者によって早期に把握させることができる。
【００１４】
本発明の画像出力プログラムは、画像を出力する画像出力部と、電源断の場合であっても情報を保持する不揮発性記憶部とを備えている画像出力装置によって実行される画像出力プログラムであって、前記画像出力部によって出力される画像である出力画像の元になる画像である元画像を前記不揮発性記憶部上に生成する元画像生成手段、前記出力画像のログとしてのログ画像を前記不揮発性記憶部に記憶されている前記元画像に基づいて生成するログ画像生成手段、および、前記画像出力装置の起動の処理を実行する起動処理実行手段として、前記画像出力装置を機能させ、前記起動処理実行手段を実現するスレッドである起動処理実行スレッドと、前記画像出力装置の起動時の前記ログ画像生成手段を実現するスレッドである起動時ログ画像生成スレッドとは、別々のスレッドであり、前記起動処理実行スレッドは、前記不揮発性記憶部に前記元画像が記憶されている場合に、前記起動時ログ画像生成スレッドを生成することを特徴とする。
【００１５】
この構成により、本発明の画像出力プログラムを実行する画像出力装置は、起動された場合に、不揮発性記憶部に出力画像の元画像が記憶されているとき、不揮発性記憶部に記憶されている元画像に基づいてログ画像を生成するので、画像が出力された後でログ画像の生成の終了前に電源断が発生した場合であっても、電源の回復後にログ画像を生成することができる。また、本発明の画像出力プログラムを実行する画像出力装置は、起動された場合に、不揮発性記憶部に出力画像の元画像が記憶されているとき、起動の処理を実行するスレッドとは別の新たなスレッドによって、不揮発性記憶部に記憶されている元画像に基づいてログ画像を生成するので、ログ画像の生成によって起動時の処理が遅くなることを抑えることができる。
【発明の効果】
【００１６】
本発明の画像出力装置は、画像が出力された後でログ画像の生成の終了前に電源断が発生した場合であっても、電源の回復後にログ画像を生成することができる。
【図面の簡単な説明】
【００１７】
【図１】本発明の一実施の形態に係る画像出力システムのブロック図である。
【図２】図１に示すＭＦＰのブロック図である。
【図３】図１に示すログ画像記憶サーバーのブロック図である。
【図４】コピーのジョブを実行するときの図２に示すＭＦＰの動作のフローチャートである。
【図５】記憶部に元画像が記憶されていない状態で起動された場合の図２に示すＭＦＰの動作のシーケンス図である。
【図６】記憶部に元画像が記憶されている状態で起動された場合の図２に示すＭＦＰの動作のシーケンス図である。
【図７】起動処理実行スレッドによってログ画像を生成すると仮定した場合の図２に示すＭＦＰの動作のシーケンス図である。
【発明を実施するための形態】
【００１８】
以下、本発明の一実施の形態について、図面を用いて説明する。
【００１９】
まず、本実施の形態に係る画像出力システム１０の構成について説明する。
【００２０】
図１は、本実施の形態に係る画像出力システム１０のブロック図である。
【００２１】
図１に示すように、画像出力システム１０は、ＭＦＰ（Ｍｕｌｔｉｆｕｎｃｔｉｏｎ  Ｐｅｒｉｐｈｅｒａｌ）２０を含む多数のＭＦＰと、ＭＦＰによって出力される画像である出力画像のログとしてのログ画像を記憶するログ画像記憶サーバー３０と、ＭＦＰに印刷データを送信可能であるコンピューター４０を含む多数のコンピューターとを備えている。多数のＭＦＰと、ログ画像記憶サーバー３０とは、ＬＡＮ（Ｌｏｃａｌ  Ａｒｅａ  Ｎｅｔｗｏｒｋ）、インターネットなどのネットワーク１１を介して互いに通信可能に接続されている。同様に、多数のＭＦＰと、コンピューターとは、ネットワーク１１を介して互いに通信可能に接続されている。なお、多数のＭＦＰは、それぞれ本発明の画像出力装置を構成している。
【００２２】
画像出力システム１０に含まれている多数のＭＦＰのそれぞれの構成は、ＭＦＰ２０の構成と同様である。したがって、以下においては、画像出力システム１０に含まれる多数のＭＦＰを代表してＭＦＰ２０について説明する。
【００２３】
また、画像出力システム１０に含まれている多数のコンピューターのそれぞれの構成は、コンピューター４０の構成と同様である。したがって、以下においては、画像出力システム１０に含まれる多数のコンピューターを代表してコンピューター４０について説明する。
【００２４】
図２は、ＭＦＰ２０のブロック図である。
【００２５】
図２に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性の記憶装置である記憶部２７と、ＭＦＰ２０全体を制御する制御部２８とを備えている。
【００２６】
操作部２１は、表示部２２とともにタッチパネルを形成する入力デバイスを含んでいても良い。
【００２７】
プリンター２４は、画像を印刷によって出力する装置であり、本発明の画像出力部を構成している。
【００２８】
ファックス通信部２５は、画像をファックス送信によって出力する装置であり、本発明の画像出力部を構成している。
【００２９】
ネットワーク通信部２６は、画像を電子メールの送信などのネットワーク１１を介した電子的な送信によって出力する装置であり、本発明の画像出力部を構成している。
【００３０】
記憶部２７は、電源断の場合であっても情報を保持するデバイスであり、本発明の不揮発性記憶部を構成している。
【００３１】
記憶部２７は、ＭＦＰ２０によって実行される画像出力プログラム２７ａを記憶している。画像出力プログラム２７ａは、ＭＦＰ２０の製造段階でＭＦＰ２０にインストールされていても良いし、ＳＤカード、ＵＳＢ（Ｕｎｉｖｅｒｓａｌ  Ｓｅｒｉａｌ  Ｂｕｓ）メモリーなどの記憶媒体からＭＦＰ２０に追加でインストールされても良いし、ネットワーク１１上からＭＦＰ２０に追加でインストールされても良い。
【００３２】
また、記憶部２７は、プリンター２４、ファックス通信部２５またはネットワーク通信部２６によって出力される画像である出力画像の元になる画像である元画像２７ｂを複数記憶することが可能である。元画像２７ｂは、例えばＪＰＥＧ（Ｊｏｉｎｔ  Ｐｈｏｔｏｇｒａｐｈｉｃ  Ｅｘｐｅｒｔｓ  Ｇｒｏｕｐ）形式の画像である。
【００３３】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行するようになっている。
【００３４】
制御部２８は、記憶部２７に記憶されている画像出力プログラム２７ａを実行することによって、元画像２７ｂを記憶部２７上に生成する元画像生成手段２８ａ、出力画像のログとしてのログ画像を元画像２７ｂに基づいて生成するログ画像生成手段２８ｂ、ＭＦＰ２０の起動の処理を実行する起動処理実行手段２８ｃ、および、ログ画像生成手段２８ｂによって生成されたログ画像をログ画像記憶サーバー３０（図１参照。）に送信するログ画像送信手段２８ｄとして機能する。
【００３５】
ログ画像生成手段２８ｂによって生成されたログ画像は、例えばＰＤＦ（Ｐｏｒｔａｂｌｅ  Ｄｏｃｕｍｅｎｔ  Ｆｏｒｍａｔ）形式の画像である。
【００３６】
図３は、ログ画像記憶サーバー３０のブロック図である。
【００３７】
図３に示すように、ログ画像記憶サーバー３０は、種々の操作が入力されるマウスやキーボードなどの入力デバイスである操作部３１と、種々の情報を表示するＬＣＤなどの表示デバイスである表示部３２と、ネットワーク１１（図１参照。）経由で外部の装置と通信を行うネットワーク通信デバイスであるネットワーク通信部３３と、プログラムおよび各種のデータを記憶しているＨＤＤなどの不揮発性の記憶装置である記憶部３４と、ログ画像記憶サーバー３０全体を制御する制御部３５とを備えている。ログ画像記憶サーバー３０は、例えばＰＣ（Ｐｅｒｓｏｎａｌ  Ｃｏｍｐｕｔｅｒ）などのコンピューターによって構成されている。
【００３８】
記憶部３４は、ログ画像記憶サーバー３０用のプログラムであるサーバー用プログラム３４ａを記憶している。サーバー用プログラム３４ａは、ログ画像記憶サーバー３０の製造段階でログ画像記憶サーバー３０にインストールされていても良いし、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの記憶媒体からログ画像記憶サーバー３０に追加でインストールされても良いし、ネットワーク１１上からログ画像記憶サーバー３０に追加でインストールされても良い。
【００３９】
記憶部３４は、ＭＦＰ２０から送信されてきたログ画像３４ｂを記憶することが可能である。すなわち、記憶部３４は、本発明のログ画像記憶装置を構成している。
【００４０】
制御部３５は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部３４に記憶されているプログラムを実行するようになっている。
【００４１】
制御部３５は、記憶部３４に記憶されているサーバー用プログラム３４ａを実行することによって、ＭＦＰ２０から送信されてきたログ画像３４ｂを記憶部３４に書き込むログ画像書込手段３５ａとして機能する。
【００４２】
図１に示すコンピューター４０は、例えばＰＣである。
【００４３】
次に、画像出力システム１０の動作について説明する。
【００４４】
まず、コピーのジョブを実行するときのＭＦＰ２０の動作について説明する。
【００４５】
図４は、コピーのジョブを実行するときのＭＦＰ２０の動作のフローチャートである。
【００４６】
ＭＦＰ２０の制御部２８は、操作部２１を介してコピーの指示を受けると、図４に示す動作を開始する。
【００４７】
図４に示すように、制御部２８の元画像生成手段２８ａは、スキャナー２３によって原稿から読み取られた画像に基づいて元画像２７ｂを記憶部２７上に生成することを開始する（Ｓ１０１）。ここで、元画像生成手段２８ａは、生成した元画像２７ｂを、この元画像２７ｂが生成された時点でＭＦＰ２０にログインしている利用者のＩＤ、すなわち、この元画像２７ｂの生成を指示した利用者のＩＤに関連付けて記憶部２７に書き込む。
【００４８】
次いで、制御部２８は、Ｓ１０１において開始された動作によって記憶部２７上に生成された元画像２７ｂに基づいた出力画像をプリンター２４によって記録媒体に印刷することを開始する（Ｓ１０２）。
【００４９】
次いで、制御部２８は、Ｓ１０１において開始された動作によって記憶部２７上に生成された元画像２７ｂの全ページ分の印刷が終了したと判断するまで、元画像２７ｂの全ページ分の印刷が終了したか否かを判断する（Ｓ１０３）。
【００５０】
制御部２８のログ画像生成手段２８ｂは、元画像２７ｂの全ページ分の印刷が終了したとＳ１０３において判断されると、記憶部２７上のこの元画像２７ｂに基づいて、ログ画像の生成を開始する（Ｓ１０４）。ここで、ログ画像生成手段２８ｂは、生成したログ画像を、元画像２７ｂに関連付けられていた利用者のＩＤと同一のＩＤに関連付けて記憶部２７に書き込む。
【００５１】
次いで、制御部２８は、Ｓ１０１において開始された動作によって記憶部２７上に生成された元画像２７ｂの全ページ分のログ画像の生成が終了したと判断するまで、元画像２７ｂの全ページ分のログ画像の生成が終了したか否かを判断する（Ｓ１０５）。
【００５２】
制御部２８は、元画像２７ｂの全ページ分のログ画像の生成が終了したとＳ１０５において判断すると、この元画像２７ｂを記憶部２７上から削除して（Ｓ１０６）、図４に示す動作を終了する。
【００５３】
次に、起動された場合のＭＦＰ２０の動作について説明する。
【００５４】
図５は、記憶部２７に元画像２７ｂが記憶されていない状態で起動された場合のＭＦＰ２０の動作のシーケンス図である。
【００５５】
ＭＦＰ２０の制御部２８は、ＭＦＰ２０が起動された場合に、記憶部２７に元画像２７ｂが記憶されていないとき、図５に示す動作を実行する。
【００５６】
図５に示すように、制御部２８は、メインスレッド２８ｅを起動して、起動処理実行手段２８ｃを実現するスレッドである起動処理実行スレッド２８ｆの初期化の指示をメインスレッド２８ｅに実行させる（Ｓ１３１）。
【００５７】
そして、起動処理実行スレッド２８ｆは、各クラスの初期化を実行する（Ｓ１３２）。
【００５８】
次いで、起動処理実行スレッド２８ｆは、記憶部２７に元画像２７ｂが記憶されているか否かを確認する（Ｓ１３３）。
【００５９】
起動処理実行スレッド２８ｆは、記憶部２７に元画像２７ｂが記憶されていないことを確認すると（Ｓ１３４）、初期化の終了をメインスレッド２８ｅに通知する（Ｓ１３５）。そして、メインスレッド２８ｅは、表示部２２に画面を起動させる（Ｓ１３６）。したがって、表示部２２は、画面を表示する（Ｓ１３７）。
【００６０】
図６は、記憶部２７に元画像２７ｂが記憶されている状態で起動された場合のＭＦＰ２０の動作のシーケンス図である。
【００６１】
ＭＦＰ２０の制御部２８は、ＭＦＰ２０が起動された場合に、記憶部２７に元画像２７ｂが記憶されているとき、図６に示す動作を実行する。
【００６２】
図６に示すように、制御部２８は、メインスレッド２８ｅを起動して、起動処理実行手段２８ｃを実現するスレッドである起動処理実行スレッド２８ｆの初期化の指示をメインスレッド２８ｅに実行させる（Ｓ１３１）。
【００６３】
そして、起動処理実行スレッド２８ｆは、各クラスの初期化を実行する（Ｓ１３２）。
【００６４】
次いで、起動処理実行スレッド２８ｆは、記憶部２７に元画像２７ｂが記憶されているか否かを確認する（Ｓ１３３）。
【００６５】
起動処理実行スレッド２８ｆは、記憶部２７に元画像２７ｂが記憶されていることを確認すると（Ｓ１６１）、記憶部２７に記憶されている元画像２７ｂのドキュメントＩＤを取得する（Ｓ１６２）。
【００６６】
次いで、起動処理実行スレッド２８ｆは、ＭＦＰ２０の起動時のログ画像生成手段２８ｂを実現するスレッドである起動時ログ画像生成スレッド２８ｇを生成する（Ｓ１６３）。
【００６７】
次いで、起動処理実行スレッド２８ｆは、Ｓ１６２で取得したドキュメントＩＤでアクセスすることができる元画像２７ｂのログ画像の生成を起動時ログ画像生成スレッド２８ｇに開始させる（Ｓ１６４）。
【００６８】
そして、起動時ログ画像生成スレッド２８ｇは、Ｓ１６４において通知されたドキュメントＩＤでアクセスすることができる元画像２７ｂのログ画像を生成する（Ｓ１６５）。起動時ログ画像生成スレッド２８ｇは、元画像２７ｂの全ページ分のログ画像の生成が終了すると、この元画像２７ｂを記憶部２７上から削除する。
【００６９】
起動処理実行スレッド２８ｆは、Ｓ１６４の処理の後、初期化の終了をメインスレッド２８ｅに通知する（Ｓ１３５）。そして、メインスレッド２８ｅは、表示部２２に画面を起動させる（Ｓ１３６）。したがって、表示部２２は、画面を表示する（Ｓ１３７）。
【００７０】
なお、図４に示す処理または図６に示す処理において生成されたログ画像と、このログ画像に関連付けられている利用者のＩＤとは、例えば１時間毎などの所定のタイミングで、ＭＦＰ２０の制御部２８のログ画像送信手段２８ｄによってネットワーク１１経由でログ画像記憶サーバー３０に送信される。
【００７１】
そして、ログ画像記憶サーバー３０の制御部３５がネットワーク１１経由でログ画像と、このログ画像に関連付けられている利用者のＩＤとを受信すると、制御部３５のログ画像書込手段３５ａは、受信したログ画像をログ画像３４ｂとして記憶部３４に書き込むとともに、受信した利用者のＩＤをこのログ画像３４ｂに関連付けて記憶部３４に書き込む。
【００７２】
なお、以上においては、出力画像の出力の例としてコピーのジョブについて説明している。しかしながら、ＭＦＰ２０がコンピューター４０から受信した印刷データに基づいてプリンター２４によって出力画像を印刷によって出力するプリントのジョブなど、コピーのジョブ以外のジョブによって出力画像を印刷によって出力する場合も同様である。また、ＭＦＰ２０がファックス通信部２５によって画像をファックス送信によって出力するファックス送信のジョブ、ＭＦＰ２０がネットワーク通信部２６によって画像をネットワーク１１を介した電子的な送信によって出力する送信のジョブなど、出力画像を印刷以外の方法によって出力するジョブの場合も同様である。
【００７３】
以上に説明したように、画像出力システム１０のＭＦＰ２０は、起動された場合に、記憶部２７に出力画像の元画像２７ｂが記憶されているとき（Ｓ１６１）、記憶部２７に記憶されている元画像２７ｂに基づいてログ画像を生成する（Ｓ１６５）ので、図４に示す処理において画像が出力された後でログ画像の生成の終了前に電源断が発生した場合であっても、電源の回復後にログ画像を生成することができる。
【００７４】
画像出力システム１０は、ＭＦＰ２０の電源の回復後に生成されたログ画像をログ画像記憶サーバー３０がＭＦＰ２０から受信して記憶するので、ＭＦＰ２０の利用者の出力画像のログ画像を、ログ画像記憶サーバー３０を使用する管理者によって従来より正確に把握させることができる。したがって、例えば出力画像によって情報漏洩があった場合であっても、管理者は、漏洩元である利用者をログ画像記憶サーバー３０上のログ画像３４ｂに関連付けられている利用者のＩＤに基づいて従来より正確に特定することができる。
【００７５】
ＭＦＰ２０は、起動された場合に、記憶部２７に出力画像の元画像２７ｂが記憶されているとき（Ｓ１６１）、起動の処理を実行するスレッドである起動処理実行スレッド２８ｆとは別の新たなスレッドである起動時ログ画像生成スレッド２８ｇによって、記憶部２７に記憶されている元画像２７ｂに基づいてログ画像を生成する（Ｓ１６５）ので、ログ画像の生成によって起動時の処理が遅くなることを抑えることができる。
【００７６】
図７は、起動処理実行スレッド２８ｆによってログ画像を生成すると仮定した場合のＭＦＰ２０の動作のシーケンス図である。
【００７７】
図７に示すように、ＭＦＰ２０は、起動処理実行スレッド２８ｆによってログ画像を生成する（Ｓ１９１）場合、起動処理実行スレッド２８ｆによるログ画像の生成が完了するまで、表示部２２の起動を実行しない。
【００７８】
しかしながら、ＭＦＰ２０は、実際には、図６に示すように、起動処理実行スレッド２８ｆとは別の新たな起動時ログ画像生成スレッド２８ｇによってログ画像を生成するので、ログ画像の生成によって起動時の処理が遅くなることを抑えることができる。
【００７９】
画像出力システム１０は、ＭＦＰ２０がログ画像の生成によって起動時の処理が遅くなることを抑えることができるので、起動時の処理が遅くなる構成と比較して、ログ画像をＭＦＰ２０からログ画像記憶サーバー３０に早期に送信することができ、結果として、ＭＦＰ２０の利用者の出力画像のログ画像を、ログ画像記憶サーバー３０を使用する管理者によって早期に把握させることができる。
【００８０】
ＭＦＰ２０は、ＭＦＰ２０の起動時のログ画像の生成によって表示部２２の起動が遅くなることを抑えることができるので、ＭＦＰ２０の起動時のログ画像の生成によって表示部２２の起動が遅くなる構成と比較して、操作部２１による操作の状況を表示部２２に早期に表示することができる。したがって、ＭＦＰ２０は、ＭＦＰ２０の起動時のログ画像の生成によって表示部２２の起動が遅くなる構成と比較して、利用者による操作部２１を介した操作に応じた処理を早期に実行することができる。
【００８１】
また、ＭＦＰ２０の起動処理実行スレッド２８ｆは、記憶部２７に元画像２７ｂが記憶されている場合に（Ｓ１６１）、この元画像２７ｂのドキュメントＩＤを取得し（Ｓ１６２）、このドキュメントＩＤを起動時ログ画像生成スレッド２８ｇに渡す（Ｓ１６４）ようになっている。この構成により、ＭＦＰ２０は、記憶部２７に記憶されている元画像２７ｂを起動時ログ画像生成スレッド２８ｇが改めて検索する必要がないので、記憶部２７に記憶されている元画像２７ｂを起動時ログ画像生成スレッド２８ｇが改めて検索する構成と比較して、早期にログ画像を生成することができる。
【００８２】
ＭＦＰ２０は、本実施の形態において、ログ画像生成手段２８ｂによって生成されたログ画像を、記憶部２７に一旦記憶させた後で、ログ画像送信手段２８ｄによってログ画像記憶サーバー３０に送信するようになっている。しかしながら、ＭＦＰ２０は、ログ画像生成手段２８ｂによって生成されたログ画像を、記憶部２７に記憶させることなく、ログ画像送信手段２８ｄによってログ画像記憶サーバー３０に送信するようになっていても良い。
【００８３】
ＭＦＰ２０は、本実施の形態において、元画像２７ｂの全ページ分の出力が終了した後で（Ｓ１０３でＹＥＳ）、この元画像２７ｂに基づいたログ画像を生成する（Ｓ１０４）ようになっている。しかしながら、ＭＦＰ２０は、元画像２７ｂの１ページ分の出力が終了する度に、このページ分の元画像２７ｂに基づいたログ画像を生成するようになっていても良い。
【００８４】
画像出力システム１０は、本実施の形態において本発明の画像出力装置としてＭＦＰを備えているが、プリンター専用機、コピー専用機、ＦＡＸ専用機など、ＭＦＰ以外の画像形成装置を備えていても良い。
【符号の説明】
【００８５】
１０  画像出力システム
２０  ＭＦＰ（画像出力装置）
２１  操作部（入力デバイス）
２２  表示部（表示デバイス）
２４  プリンター（画像出力部）
２５  ファックス通信部（画像出力部）
２６  ネットワーク通信部（画像出力部）
２７  記憶部（不揮発性記憶部）
２７ａ  画像出力プログラム
２７ｂ  元画像
２８ａ  元画像生成手段
２８ｂ  ログ画像生成手段
２８ｃ  起動処理実行手段
２８ｄ  ログ画像送信手段
２８ｆ  起動処理実行スレッド
２８ｇ  起動時ログ画像生成スレッド
３０  ログ画像記憶サーバー
３４  記憶部（ログ画像記憶装置）
３４ｂ  ログ画像
３５ａ  ログ画像書込手段
【図１】
2014109907.tif 000003
【図２】
2014109907.tif 000004
【図３】
2014109907.tif 000005
【図４】
2014109907.tif 000006
【図５】
2014109907.tif 000007
【図６】
2014109907.tif 000008
【図７】
2014109907.tif 000009